(57)【特許請求の範囲】
【請求項１】
基体と、
支軸及びこの支軸に設けられた一対のマッサージローラを有し、上記基体の所定方向に沿って走行自在に設けられた保持体と、
この保持体を上記基体の所定方向に沿って往復駆動する駆動手段と、
上記支軸とほぼ同じ高さで上下に分割されるとともに、上記一対のマッサージローラの箇所でそれぞれ幅方向に分割された各３つの下部ブロック及び上部ブロックからなり、上記基体の上面の上記マッサージローラの走行範囲のほぼ全体にわたって上記保持体の走行を阻止することのない状態で設けられた弾性材と、
この弾性材の上面を被覆した外装地と
を具備したことを特徴とするマッサージ装置。
【請求項２】
上記弾性材の各ブロックは上記保持体に接触すると共に、保持体と接触する面には耐摩耗性の保護シートが設けられていることを特徴とする請求項１記載のマッサージ装置。
【請求項３】
上記弾性材の各ブロックは上記保持体に接触すると共に、保持体と接触する面には耐摩耗性と滑沢性を有する保護シートが設けられていることを特徴とする請求項１記載のマッサージ装置。
【請求項４】
上記基体には上記保持体の走行をガイドするガイド部材が設けられ、このガイド部材は上記外装地上に仰臥する利用者の背面の凹凸形状に対応する凹凸形状に屈曲されていることを特徴とする請求項１記載のマッサージ装置。
【請求項５】
座枠と、この座枠の一側に設けられた背凭れ体とを有し、上記座枠には請求項１に記載されたマッサージ装置が載置されていることを特徴とするソファー装置。
【請求項６】
座枠には、マッサージ装置を起上させるための起上体が起伏自在に設けられていることを特徴とする請求項５記載のソファー装置。
【請求項７】
上記マッサージ装置の端部には、マッサージを受けるときにウエイトとなる砂袋が上記外装地に取付けられた保持布によって着脱自在に保持されてなる肘掛け体が設けられていることを特徴とする請求項５記載のソファー装置。
【発明の詳細な説明】
【０００１】
【発明の属する技術分野】
この発明は基体の長手方向に沿ってマッサージローラを往復走行させるマッサージ装置及びそのマッサージ装置を用いたソファー装置に関する。
【０００２】
【従来の技術】
マッサージ装置には種々のタイプのものがあり、その１つとして利用者の全身をマッサージすることができるマットレスタイプがある。マットレスタイプのマッサージ装置の一般的な構造は矩形板状の基板を有する。この基板の上面には長手方向に沿ってガイドレールが設けられている。このガイドレールにはマッサージローラを備えた保持体が走行可能に設けられる。この保持体は上記基体の長手方向一端部に設けられた駆動装置によって上記ガイドレールに沿って往復駆動されるようになっている。
【０００３】
上記基体の上面は外装地によって被覆されている。そして、この外装地上に利用者が仰臥した状態で上記マッサージローラを走行駆動すれば、利用者の背面を全体にわたってマッサージすることができる。
【０００４】
【発明が解決しようとする課題】
利用者が外装地上に仰臥してマッサージを受ける場合、その快適さによってマッサージを受けながら眠ってしまうことがある。その場合、上記マッサージローラの走行駆動は、通常、タイマによって一定時間後に停止するようになっている。そのため、マッサージを受け過ぎるのは防止することができるものの、基体は硬く、クッション性能をほとんど備えていないため、マッサージ装置上で長時間にわたって睡眠してしまうと、身体に疲れが生じるなどのことがある。
【０００５】
また、マッサージ装置は上述したように基体の上面にガイドレールが設けられた構造であるから、マッサージを受けない場合には、たとえばクッション体などとして利用することができないため、不使用時には邪魔になるだけであり、付加価値を高めるためにマッサージを受けないときに他の用途に利用できるようにすることが望まれている。
【０００６】
この発明は、良好なクッション性能を持たせることで、快適に利用することができ、しかもマッサージ装置として利用しないときにはクッション体として利用することができるようにしたマッサージ装置及びそのマッサージ装置を用いたソファー装置を提供することにある。
【０００７】
【課題を解決するための手段】
請求項１の発明は、基体と、
支軸及びこの支軸に設けられた一対のマッサージローラを有し、上記基体の所定方向に沿って走行自在に設けられた保持体と、
この保持体を上記基体の所定方向に沿って往復駆動する駆動手段と、
上記支軸とほぼ同じ高さで上下に分割されるとともに、上記一対のマッサージローラの箇所でそれぞれ幅方向に分割された各３つの下部ブロック及び上部ブロックからなり、上記基体の上面の上記マッサージローラの走行範囲のほぼ全体にわたって上記保持体の走行を阻止することのない状態で設けられた弾性材と、
この弾性材の上面を被覆した外装地と
を具備したことを特徴とするマッサージ装置にある。
【０００８】
請求項２の発明は、上記弾性材の各ブロックは上記保持体に接触すると共に、保持体と接触する面には耐摩耗性の保護シートが設けられていることを特徴とする請求項１記載のマッサージ装置にある。
【０００９】
請求項３の発明は、上記弾性材の各ブロックは上記保持体に接触すると共に、保持体と接触する面には耐摩耗性と滑沢性を有する保護シートが設けられていることを特徴とする請求項１記載のマッサージ装置にある。
【００１０】
請求項４の発明は、上記基体には上記保持体の走行をガイドするガイド部材が設けられ、このガイド部材は上記外装地上に仰臥する利用者の背面の凹凸形状に対応する凹凸形状に屈曲されていることを特徴とする請求項１記載のマッサージ装置にある。
【００１１】
請求項５の発明は、座枠と、この座枠の一側に設けられた背凭れ体とを有し、上記座枠には請求項１に記載されたマッサージ装置が載置されていることを特徴とするソファー装置にある。
【００１２】
請求項６の発明は、座枠には、マッサージ装置を起上させるための起上体が起伏自在に設けられていることを特徴とする請求項５記載のソファー装置にある。
【００１３】
請求項７の発明は、上記マッサージ装置の端部には、マッサージを受けるときにウエイトとなる砂袋が上記外装地に取付けられた保持布によって着脱自在に保持されてなる肘掛け体が設けられていることを特徴とする請求項４記載のソファー装置にある。
【００１４】
請求項１の発明によれば、基体の上面のほぼ全体にわたって弾性材を設けたことで、外装地上に仰臥した利用者に快適なクッション性能を呈することができ、しかも上記弾性材が保持体の走行を阻止することがないから、マッサージ装置としての機能の低下を招くこともない。
【００１５】
請求項２の発明によれば、弾性材の保持体と接触する面に耐摩耗性の保護シートを設けるようにしたので、弾性材が走行駆動される保持体に擦られても、早期に損耗するのを防止することができる。
【００１６】
請求項３の発明によれば、保護シートは耐摩耗性だけでなく滑沢性も備えているから、早期に損耗することがないばかりか、滑沢性によって保持体を円滑に走行させることが可能となる。
【００１７】
請求項４の発明によれば、ガイド部材を利用者の背面の凹凸形状に対応する凹凸形状に形成したことで、マッサージローラによって利用者の背面を確実にマッサージすることができる。
【００１８】
請求項５の発明によれば、マッサージ装置をクッション体として利用することで、マッサージ機能を有するソファー装置を提供できる。
【００１９】
請求項６の発明によれば、座枠にマッサージ装置を起上させるための起上枠を設けたことで、利用者は上半身を起した状態あるいは下半身を上げた状態でマッサージを受けることができる。
【００２０】
請求項７の発明によれば、マッサージ装置の端部に砂袋を保持布によって着脱自在に保持した肘掛け体を設けたことで、上記砂袋をマッサージを受けるときのウエイトとしても利用することができる。
【００２１】
【発明の実施の形態】
以下、この発明の実施の形態を図面を参照して説明する。
【００２２】
図１乃至図１１はこの発明の第１の実施の形態を示し、図１はソファー装置Ｓの斜視図である。このソファー装置Ｓは座枠１を有する。この座枠１は図２乃至図４に示すように矩形枠状をなしていて、長手方向（幅方向）両端部には短手方向（前後方向）に沿って第１の補強桟２ａが架設されている。
【００２３】
一対の第１の補強桟２ａの両端部には三角形状の取付板３が設けられ、この取付板３にはそれぞれ脚４が取付けられている。第１の補強桟２と上記座枠１の幅方向両側辺とには第２の補強桟２ｂが架設されている。
【００２４】
上記座枠１の長手方向中途部には起上体としてのコ字状に形成された起上枠５が、その両端部を上記座枠１の前端側と後端側の内側面に設けられた連結部６に回動可能に連結されている。この起上枠５の両側端部には被駆動桟７が架設され、この被駆動桟７の中途部にはブラケット８が設けられている。
【００２５】
上記ブラケット８にはガススプリング９の一端が枢着されている。このガススプリング９の他端は一方の第１の補強桟２の中途部に垂設されたブラケット１１に枢着されている。上記座枠１の前端側には上記ガススプリング９を作動させるための操作レバー１２が設けられている。
【００２６】
したがって、上記操作レバー１２を操作して上記ガススプリング９を図３に示すように縮小した状態から伸長させると、図３に示すように座枠１の長手方向一端側に倒伏した起上枠５が図４に示すように両端部を支点として起上方向に回動するようになっている。
【００２７】
なお、上記起上枠５は、倒伏した状態で自由端側が一方の第１の補強桟２によって支持されるようになっており、図２に示すように倒伏状態の上面には第１の床板１０ａが設けられ、また座枠１の長手方向他端側には第２の床板１０ｂが架設されている。
なお、起上枠５は枠状体に第１の床板１０ａを設けて構成したが、板状部材によって構成してもよい。
【００２８】
上記座枠１の上面にはマッサージ装置１３が載置され、前後方向後端には背凭れ体１４が立設されている。図９に示すように、上記マッサージ装置１３は矩形板状の基体１５を有する。この基体１５はナイロン（商品名）、ポリプロピレン、ポリビニールあるいはウレタンなどの合成樹脂によって形成されていて、長手方向中途部には基体１５を折り曲げることができるようにするための複数の溝からなる第１の柔軟部１６が形成されている。
【００２９】
上記基体１５の上面には長手方向に沿うガイド部材としての一対のガイドレール１７が所定間隔で平行に設けられている。このガイドレール１７の中途部には、上記基体１５に形成された第１の柔軟部１６に対応する箇所に、ガイドレール１７を折り曲げ可能とする第２の柔軟部１７ａが形成されている。
【００３０】
上記ガイドレール１７の一端側には駆動装置１８が設けられている。この駆動装置１８は、筐体１９を有し、この筐体１９の一側と他側にはそれぞれ互いに噛合した一対の歯車２１が設けられている。各歯車２１にはプーリ２２が一体的に設けられている。そして、各歯車２１は上記筐体１９内に設けられた駆動源２３によって回転駆動されるようになっている。
【００３１】
各一対のプーリ２２の一方と他方にはそれぞれ帯状鋼板などからなる駆動ベルト２４（図８に示す）の一端部と他端部とが巻回されている。図８に示すように、上記駆動ベルト２４の中途部は上記ガイドレール１７に形成された上部通路２５と下部通路２６とにわたって挿通されている。
【００３２】
上記駆動源２３によって歯車２１が回転駆動されると、上記駆動ベルト２４は一端部が一方のプーリ２２に巻回され、他端部が他方のプーリ２２から繰り出される。それによって、上記通路２５，２６に挿通された部分がこの通路に沿って所定方向へ走行するようになっている。
【００３３】
上記一対のガイドレール１７には保持体２７が走行可能に設けられている。この保持体２７は一対の端部材３１を有し、この端部材３１には上記ガイドレール１７に形成された走行面２８を転動する車輪２９が設けられている。
【００３４】
上記一対の端部材３１間には支軸３２が架設されている。この支軸３２には、軸方向中央部に一対の第１のマッサージローラ３３が回転可能に設けられ、この第１のマッサージローラ３３の外方には第２のマッサージローラ３４が回転可能に設けられている。第１のマッサージローラ３３は第２のマッサージローラ３４よりも大径に形成されている。さらに、各ローラ３３，３４は摩擦抵抗の少ない材料、たとえばポリアセタールやポリプロピレンなどの材料によって形成されている。
【００３５】
図８に示すように、上記保持体２７の端部材３１は上記駆動ベルト２４にワイヤ３５によって連結されている。したがって、上記保持体２７は上記駆動ベルト２４の走行に連動するようになっている。つまり、保持体２７はガイドレール１７に沿って走行可能となっている。
【００３６】
なお、図９において、３６は基体１５を折り曲げたときに駆動源２３の作動を停止させるための安全レバーである。この安全レバー３６は、一端が駆動装置１８の筐体１９内にスライド可能に挿通され、他端は基体１５の第１の柔軟部１６よりも端部側の箇所に取付固定されている。
【００３７】
上記安全レバー３６の一端部は上記筐体１９内に設けられた図示しないマイクロスイッチに対向し、中途部には安全レバー３６を基体１５と共に屈曲可能とするコイル部３７が形成されている。
【００３８】
基体１５を屈曲すると、安全レバー３６も屈曲するが、基体１５との曲率の差によってその一端部がスライドし、マイクロスイッチを作動させる。それによって、動作状態にある駆動源２３を停止させることができる。つまり、保持体２７を走行駆動させた状態で基体１５、つまりマッサージ装置１３を所定角度以上、例えば４５度以上に屈曲させると、保持体２７の走行が停止するようになっている。
【００３９】
なお、ガイドレール１７の駆動装置１８側の一端部は基体１５に固定され、他端側は図８に示す保持具３８によってスライド可能に保持されている。したがって、基体１５を屈曲させると、ガイドレール１７は基体１５に対してスライドするようになっている。
【００４０】
また、ガイドレール１７はナイロンやポリプロピレンなどの柔軟な合成樹脂によって形成されていて、図１０に示すように凹凸状に屈曲されて基体１５の上面に設けられている。
【００４１】
つまり、基体１５の上面の適所には硬質発砲体によって形成された変形部材３９が設けられ、ガイドレール１７は上記変形部材３９の上面の曲面形状に沿って湾曲している。
【００４２】
ガイドレール１７の湾曲形状は、マッサージ装置１３上に仰臥する利用者の背面の凹凸形状と対応する逆の凹凸形状となっている。それによって、利用者の背面、とくに脚部や腰部などの凹んだ部分も、第１、第２のマッサージローラ３３，３４によって他の部分とほぼ同じ強さでマッサージを受けることができるようになっている。
【００４３】
上記基体１５の上面には、この上面のほぼ全体にわたってウレタンフォームなどからなる弾性材４０が設けられている。この弾性材４０は複数の弾性ブロックに分割されている。すなわち、弾性ブロックは、図７と図８に示すように一対のガイドレール１７の外側に位置する一対の側部ブロック４１と、保持体２７の支軸３２とほぼ同じ高さ位置で上下に分割されるとともに、一対の第１のマッサージローラ３３の箇所でそれぞれ幅方向に３分割された３つの下部ブロック４２ａ〜４２ｃ及び３つの上部ブロック４３ａ〜４３ｃからなる。
【００４４】
下部ブロック４２ａ〜４２ｃと上部ブロック４３ａ〜４３ｃとの接合面間には、これら各ブロックを弾性変形させて上記保持体２７の支軸３２及び第１、第２のマッサージローラ３３，３４が入り込むことが可能となっている。つまり、保持体２７の走行を阻止することのない状態となっている。
【００４５】
各ブロック４２ａ〜４２ｃ，４３ａ〜４３ｃの上記支軸３２及び第１、第２のマッサージローラ３３，３４に接合する面には弾性材４０を形成する材料に比べて十分に高い耐摩耗性と滑沢性を有する保護シート４４が接合固定されている。保護シート４４としては、合成繊維などの布地や樹脂製のフィルムなどを用いることができる。
【００４６】
上記弾性材４０を側部ブロック４１、下部ブロック４２ａ〜４２ｃ及び上部ブロック４３ａ〜４３ａに分割したことで、基体１５の上面のほぼ全体にわたって設けられた弾性材４０が保持体２７の走行を阻止することがない。しかも、保持体２７を走行させたときに弾性材４０の保持体２７と接触する部分には保護シート４４が設けられているため、この保護シート４４の滑沢性によって保持体２７に大きな摩擦抵抗を与えることがないばかりか、耐摩耗性によって弾性材４０が早期に損耗するのを防止する。
【００４７】
なお、弾性材４０の厚さは、この実施の形態では図８に示すようにその上面から大径なマッサージローラ３３がわずかに突出する状態に設定されている。また、図５と図６に示すように、一対の下部ブロック４２ａ，４２ｃにはバイブレータ５０が埋設されている。
【００４８】
上記弾性材４４の上面、外周面及び基体１５の下面は外装地４５によって被覆されている。図８に示すように、外装地４５の弾性材４４の上面を被覆した部分の内面には伸縮性を有する布地からなる内側補強布４６が設けられている。この内側補強布４６によって上記外装地４５が第１のマッサージローラ３３に直接に擦られて早期に損傷するのを防止している。
【００４９】
上記マッサージ装置１３の上面の長手方向両端部には肘掛け体４８が設けられる。この肘掛け体４８は、図１１に示すように外装地４５に中途部が縫着された帯状の保持布４９を有し、この保持布４９は一端部の上面に設けられたベルベットファスナ５１を他端部に係合させることでループ状となる。ループ状の保持布４９には砂袋５２が保持される。それによって、砂袋５２を肘掛け体４８として利用できるようになっている。
【００５０】
利用者がマッサージ装置１３上に仰臥してマッサージを受ける場合、上記保持布４６を展開して砂袋４７を取り外し、その砂袋４７を脚部に載せるなどしてマッサージ用のウエイトとして利用することができる。
【００５１】
上記第２の床板１０ｂの上面には、図２に示すように複数のベルベットファスナ５３が設けられている。このベルベットファスナ５３は座枠１上に載置されるマッサージ装置１３の下面に係合する。それによって、起上枠５を起上させて上記マッサージ装置１３を屈曲させたときに、このマッサージ装置１３が起上方向にずれ動くのを阻止するようになっている。
【００５２】
このように構成されたソファー装置Ｓによると、座枠１上に載置されたマッサージ装置１３は、その基体１５の上面全体、つまり保持体２７が走行する部分にも弾性材４０が設けられている。そのため、利用者が着座した場合に、快適なクッション性を呈するから、このマッサージ装置１３を座部クッション体として利用することができる。
【００５３】
ソファー装置Ｓとして利用する場合、図２に示すように起上枠５を起上させることで、マッサージ装置１３を屈曲させることができるから、この屈曲した部分に寄り掛かることで、リクライニグシートとして利用することもできる。
【００５４】
一方、利用者がマッサージを受けたい場合には、マッサージ装置１３上に仰臥する。そして、駆動装置１８の駆動源２３を作動させて保持体２７をガイドレール１７に沿って走行させれば、利用者の背面を上記保持体に設けられた第１のマッサージローラ３３と第２のマッサージローラ３４とによってマッサージすることができる。
【００５５】
利用者はマッサージを受けながら眠ってしまい、マッサージが終了したことに気がつかないことがある。そのような場合、利用者は長時間にわたってマッサージ装置１３上に仰臥することになるが、マッサージ装置１３は基体１５の上面全体に弾性材４０が設けられている。
【００５６】
そのため、利用者が眠ってしまい、長時間にわたりマッサージ装置１３上に仰臥することになっても、上記弾性材４０によって軟らかな状態で支持されるので、身体に疲労感を覚えるようなことがほとんどない。
【００５７】
マッサージ装置１３に良好なクッション性能を持たせるために設けられた弾性材４０は、側部ブロック４１、下部ブロック４２ａ〜４２ｃ及び上部ブロック４３ａ〜４３ａに分割されている。
【００５８】
そのため、利用者がマッサージを受けるために保持体２７を走行させても、この保持体２７の支軸３２やマッサージローラ３３，３４は各ブロックの接合面間を走行するから、上記弾性材４０が保持体２７の走行を阻止するようなことがない。なお、保持体２７の端部材３１は図８に示す側部ブロック４１の側面と下部ブロック４２ａ（４２ｃ）の側面とに間に形成された空間部５３を走行するようになっている。
【００５９】
また、利用者がマッサージを受ける場合には、肘掛け体４８を構成する砂袋５２を保持した保持布５２を外し、その砂袋５２を利用者の側部などの軽い部分に載せてウエイトと利用する。それによって、利用者は脚部などの身体の軽い部分にも強いマッサージを受けることができる。
【００６０】
上記保持体２７が走行するガイドレール１７は図１０に示すように利用者の身体の凹凸形状に対応する凹凸形状に屈曲している。そのため、利用者の身体の腰部や脚部などのように臀部に比べて凹んだ部分をマッサージするときには、上記保持体２７は上方へ変位するから、利用者の身体の凹んだ部分を他の部分と同様、マッサージローラ３３，３４によって強くマッサージすることができる。
【００６１】
下部ブロック４２ａ〜４２ｃ及び上部ブロック４３ａ〜４３ａの上記保持体２７と接触する面には耐摩耗性と滑沢性とを備えた保護シート４４が設けられている。そのため、下部ブロック４２ａ〜４２ｃ及び上部ブロック４３ａ〜４３ａは、保持体２７によって早期に損耗させられるということがないばかりか、保持体２７との接触抵抗を増大させて保持体２７の円滑な走行を妨げるということもない。
【００６２】
図１２はこの発明の第２の実施の形態を示す保持体２７の変形例で、この保持体２７の第１、第２のマッサージローラ３３，３４には外周面に所定間隔で複数の突起３３ａ，３４ｂを設けるようにしたものである。
【００６３】
図１３と図１４はこの発明の第３の実施の形態を示し、この実施の形態は第１の実施の形態に示されたマッサージ装置１３をベッド装置６１のクッション体（マットレス）として利用するようにした。すなわち、上記マッサージ装置１３は、長手方向一端にヘッドボード６２が設けられたベッドフレーム６３に載置するようにしたものである。
【００６４】
図１５乃至図１７はこの発明の第４の実施の形態を示す。この実施の形態はマッサージ装置１５の保持体２７Ａを走行駆動する駆動手段の変形例である。すなわち、この実施の形態では、基体１５Ａが合成樹脂などの折り曲げ可能な材料によって板状に形成されたベース板１５ｄと、このベース板１５ｄに積層されたウレタンフォームなどの半硬質弾性材１５ｅとからなる。
【００６５】
上記基体１５Ａの上面には、その長手方向に沿って駆動ねじ５１が回転自在に設けられ、また基体１５Ａの上面の長手方向一端部には駆動源５２が設けられている。この駆動源５２は上記駆動ねじ５１を正転方向あるいは逆転方向に選択的に回転駆動できるようになっている。
【００６６】
上記保持体２７Ａは、図１５に示すように両端に一対のマッサージローラ５３が回転自在に設けられた取付部５４と、この取付部５４と一体的に設けられた連結部５５とを有し、この連結部５５には上記駆動ねじ５１に螺合するめねじ５６が形成されている。
【００６７】
上記基体１５Ａの幅方向中央部には、上記保持体２７Ａの連結部５５がスライド自在に係合する断面形状がほぼＵ字状のガイド部材５７が長手方向ほぼ全長にわたって設けられている。このガイド部材５７は図１５に示すように半硬質弾性材１５ｅに埋設されている。
【００６８】
基体１５Ａの上面には弾性材４０が設けられる。この弾性材４０は、保持体２７Ａの両側に位置する一対の側部ブロック４１と、保持体２７Ａの一対のマッサージローラ５３間の上部に位置する上部ブロック５８と、保持体２７Ａの連結部５５の両側に位置する一対の下部ブロック５９に分割されている。
【００６９】
上部ブロック５８の両側と、側部ブロック４１の一側とは接合しており、上部ブロック５８の下面と一対の下部ブロック５９の上面は接合している。更に一対の下部ブロック５９の対向する側面も接合している。
【００７０】
各ブロック４１，５８，５９の上記保持体２７Ａに接触する面、つまり各ブロックの互いに接合する面は第１の実施の形態と同様、耐摩耗性と滑沢性とを備えた保護シート４４で被覆されている。
【００７１】
上記保持体２７Ａは各ブロック４１，５８，５９を弾性変形させながらこれらの接合面間を走行するようになっている。
【００７２】
このような構成によれば、駆動ねじ５１を駆動源５２によって回転駆動することで、保持体２７Ａを基体１５Ａの長手方向に沿って往復走行させることができる。
【００７３】
しかも、保持体２７Ａは駆動ねじ基体１５Ａの上面は、全体にわたって弾性材４０が設けられているから、利用者に良好なクッション性能を与えることができる。
【００７４】
なお、第２、第３、第４の実施の形態において、第１の実施の形態と同一部分には同一記号を付して説明を省略する。
【００７５】
この発明は上記各実施の形態に限定されず、種々変形可能である。たとえば、この発明に係る基体は、板状部材に限られず、マッサージローラを走行せることができるための基礎となればよく、たとえば枠状体、箱状体あるいはガイド部材と板状部材とを一体成形したものなどであってもよく、要は保持体を走行自在に設けることができる構造であればよい。
また、マッサージ装置は、ソファーの背凭れ体に設けるようにしてもよい。
【００７６】
【発明の効果】
請求項１の発明によれば、基体の上面のほぼ全体にわたって弾性材を設けるようにした。
【００７７】
そのため、外装地上に仰臥した利用者に快適なクッション性能を呈することができ、しかも上記弾性材が保持体の走行を阻止することがないから、マッサージ装置としての機能の低下を招くこともない。
【００７８】
請求項２の発明によれば、弾性材を複数に分割し、この弾性材の保持体が接触する面に耐摩耗性の保護シートを設けるようにした。
【００７９】
そのため、弾性材が走行駆動される保持体に擦られても、早期に損耗するのを防止することができる。
【００８０】
請求項３の発明によれば、保護シートに耐摩耗性だけでなく、滑沢性も備えさせたから、保持体の走行を円滑に行うことができる。
【００８１】
請求項４の発明によれば、ガイドレールを利用者の背面の凹凸形状に対応する凹凸形状に形成した。
【００８２】
そのため、利用者の身体の凹んだ部分を、他の部分と同様、マッサージローラによって確実にマッサージすることができる。
【００８３】
請求項５の発明によれば、マッサージ装置をクッション体として利用することで、マッサージ機能を有するソファー装置を提供することができる。
【００８４】
請求項６の発明によれば、座枠にマッサージ装置を起上させるための起上枠を設けるようにしたから、利用者は上半身を起したり、下半身を上げた状態でマッサージを受けることができる。
【００８５】
請求項７の発明によれば、マッサージ装置の端部に砂袋を保持布によって着脱自在に保持した肘掛け体を設けた。
【００８６】
そのため、上記砂袋をマッサージを受けるときのウエイトとしても利用することができる。
【図面の簡単な説明】
【図１】根発明の第１の実施の形態を示すソファー装置の斜視図。
【図２】同じく座枠の一部を起上させた状態の斜視図。
【図３】同じく座枠の一部を起上させる機構を床板を除去して示した斜視図。
【図４】同じく同じく座枠の一部起上させた状態を床板を除去して示した斜視図。
【図５】同じくマッサージ装置を外装地を除去して示す平面図。
【図６】（ａ）は同じく図５のＡ−Ａ線に沿う断面図、（ｂ）は同じく図５のＢ−Ｂ線に沿う断面図、（ｃ）は同じく図５のＣ−Ｃ線に沿う断面図。
【図７】（ａ）は同じく図５のＤ−Ｄ線に沿う断面図、（ｂ）は同じく図５のＥ−Ｅ線に沿う断面図。
【図８】同じく保持体が弾性材のブロック間に入り込んだ状態の拡大断面図。
【図９】同じくマッサージ装置の弾性材を除去して基板上面を示す平面図。
【図１０】同じくマッサージ装置の弾性材を除去して基板上面を示す側面図。
【図１１】同じく肘掛け体の拡大断面図。
【図１２】（ａ），（ｂ）はこの発明の第２の実施の形態を示すマッサージ装置の外装地を除去した断面図。
【図１３】この発明の第３の実施の形態を示すマッサージ装置をベッド装置に利用した状態の斜視図。
【図１４】同じくマッサージ装置の一部断面した斜視図。
【図１５】この発明の第４の実施の形態を示すマッサージ装置の幅方向に沿う縦断面図。
【図１６】同じく平面図。
【図１７】同じくマッサージ装置の長手方向に沿う縦断面図。
【符号の説明】
１５…基体
１７…ガイドレール
１８…駆動装置
２７…保持体
４０…弾性材
４４…保護シート
４５…外装地
４８…肘掛け体
４９…保持布
５２…砂袋
【図１】
0003694619.tif 000002
【図２】
0003694619.tif 000003
【図３】
0003694619.tif 000004
【図４】
0003694619.tif 000005
【図５】
0003694619.tif 000006
【図６】
0003694619.tif 000007
【図７】
0003694619.tif 000008
【図８】
0003694619.tif 000009
【図９】
0003694619.tif 000010
【図１０】
0003694619.tif 000011
【図１１】
0003694619.tif 000012
【図１２】
0003694619.tif 000013
【図１３】
0003694619.tif 000014
【図１４】
0003694619.tif 000015
【図１５】
0003694619.tif 000016
【図１６】
0003694619.tif 000017
【図１７】
0003694619.tif 000018